【手続補正書】
【提出日】令和2年11月2日(2020.11.2)
【手続補正１】
【補正対象書類名】特許請求の範囲
【補正対象項目名】全文
【補正方法】変更
【補正の内容】
【特許請求の範囲】
【請求項１】
第１の表示装置を有する第１の情報処理装置と、前記第１の情報処理装置とネットワークを介して接続可能な第２の情報処理装置を有するシステムであって、
前記第１の情報処理装置は、
前記第２の情報処理装置と画面を共有するための複数のページを含む表示コンテンツを記憶する記憶手段と、
前記第１の表示装置に表示された前記表示コンテンツに対する少なくともページ送り操作を含む入力操作の権限を切り換える指示を受け付ける第１のＧＵＩと、
前記表示コンテンツの画面共有の設定を切り換える指示を受け付ける第２のＧＵＩを前記第１の表示装置に表示する表示手段と、
前記権限を有している発表者が操作する前記第２の情報処理装置において受け付けたページ送り操作に応じて表示されたページと同じページを前記第１の表示装置に描画反映する描画手段と、
を有し、
前記第２のＧＵＩにおいて受け付けた指示に応じて、画面共有する設定から画面共有しない設定に切り換えられた場合に、前記表示コンテンツに対するページ送り操作を個別に受付可能とし、
前記権限を有している発表者が操作する前記第２の情報処理装置の第２の表示装置に表示されている前記表示コンテンツのページとは異なるページを前記第１の表示装置に表示している際に、前記第２のＧＵＩにおいて受け付けた指示に応じて、前記画面共有しない設定から画面共有する設定に切り換えられた場合に、前記描画手段は、前記第２の情報処理装置から送信された前記発表者のページ送り操作の操作情報に従って、前記第２の表示装置に表示されている前記表示コンテンツのページと同じページを描画反映することを特徴とするシステム。
【請求項２】
前記第１の情報処理装置は、
入力操作の操作情報を含む送信データを生成する送信データ生成手段を有し、
前記入力操作の権限を保有した場合に、
前記送信データ生成手段により、利用者による入力操作の操作情報に基づき、前記送信データを生成し、前記送信データを、前記第２の情報処理装置へと送信することを特徴とする請求項１に記載のシステム。
【請求項３】
前記第１の情報処理装置は、
入力操作の開始から終了までの画面上の軌跡を示す複数の座標値を、前記操作情報として所定の記憶領域に記録し、入力操作の操作時間を計測し、
入力操作が終了した場合に、
前記送信データ生成手段により、記録した複数の座標値及び計測した操作時間を含む送信データを生成し、前記送信データを、他の情報処理装置へと送信することを特徴とする請求項２に記載のシステム。
【請求項４】
前記第２の情報処理装置は、
受信データに含まれる操作時間に所定の係数を乗算することで、表示オブジェクトの描画時間を算出し、
前記描画手段により、算出した描画時間内に、受信データに含まれる操作情報に従って、表示オブジェクトを描画することを特徴とする請求項３に記載のシステム。
【請求項５】
前記第２の情報処理装置は、
前記操作時間と反比例の関係を有し、値の範囲が０より大きく１より小さい係数を用いて、表示オブジェクトの描画時間を算出することを特徴とする請求項４に記載のシステム。
【請求項６】
前記第１の情報処理装置は、
利用者によるページ送り操作を受け付けた場合、
前記送信データ生成手段により、ページ送り後に表示するページを識別するページ識別情報を含む送信データを生成することを特徴とする請求項４又は５に記載のシステム。
【請求項７】
前記第１の情報処理装置は、
利用者によるポインタ操作を受け付けた場合、
前記送信データ生成手段により、画面上のポインタ位置にあたるポインタ位置情報を含む送信データを生成することを特徴とする請求項４ないし６のいずれか一項に記載のシステム。
【請求項８】
前記第１の情報処理装置は、
利用者からの切り換え指示に従って、情報処理装置間における画面共有／非共有の画面共有モードを切り換える共有モード切換手段を有し、
前記共有モード切換手段により、画面共有モードが画面共有から非共有に切り換えられた場合に、
前記受信データを所定の記憶領域に記録し、
前記共有モード切換手段により、画面共有モードが非共有から画面共有に切り換えられた場合に、
前記描画手段により、記録した受信データに含まれる操作情報に従って、表示オブジェクトを描画することを特徴とする請求項４ないし７のいずれか一項に記載のシステム。
【請求項９】
第１の表示装置を有し、ネットワークを介して第２の情報処理装置と接続可能な第１の情報処理装置であって、
前記第２の情報処理装置と画面を共有するための複数のページを含む表示コンテンツを記憶する記憶手段と、
前記第１の表示装置に表示された前記表示コンテンツに対する少なくともページ送り操作を含む入力操作の権限を切り換える指示を受け付ける第１のＧＵＩと、
前記表示コンテンツの画面共有の設定を切り換える指示を受け付ける第２のＧＵＩを前記第１の表示装置に表示する表示手段と、
前記権限を有している発表者が操作する前記第２の情報処理装置において受け付けたページ送り操作に応じて表示されたページと同じページを前記第１の表示装置に描画反映する描画手段と、
を有し、
前記第２のＧＵＩにおいて受け付けた指示に応じて、画面共有する設定から画面共有しない設定に切り換えられた場合に、前記表示コンテンツに対するページ送り操作を個別に受付可能とし、
前記権限を有している発表者が操作する前記第２の情報処理装置の第２の表示装置に表示されている前記表示コンテンツのページとは異なるページを前記第１の表示装置に表示している際に、前記第２のＧＵＩにおいて受け付けた指示に応じて、前記画面共有しない設定から画面共有する設定に切り換えられた場合に、前記描画手段は、前記第２の情報処理装置から送信された前記発表者のページ送り操作の操作情報に従って、前記第２の表示装置に表示されている前記表示コンテンツのページと同じページを描画反映することを特徴とする情報処理装置。
【請求項１０】
第１の表示装置を有する第１の情報処理装置と、前記第１の情報処理装置とネットワークを介して接続可能な第２の情報処理装置を有するシステムによる方法であって、
前記第１の情報処理装置が、
前記第２の情報処理装置と画面を共有するための複数のページを含む表示コンテンツを記憶手段に記憶し、
前記第１の表示装置に表示された前記表示コンテンツに対する少なくともページ送り操作を含む入力操作の権限を切り換える指示を受け付ける第１のＧＵＩと、前記表示コンテンツの画面共有の設定を切り換える指示を受け付ける第２のＧＵＩを前記第１の表示装置に表示し、
前記権限を有している発表者が操作する前記第２の情報処理装置において受け付けたページ送り操作に応じて表示されたページと同じページを前記第１の表示装置に描画反映し、
前記第２のＧＵＩにおいて受け付けた指示に応じて、画面共有する設定から画面共有しない設定に切り換えられた場合に、前記表示コンテンツに対するページ送り操作を個別に受付可能とし、
前記権限を有している発表者が操作する前記第２の情報処理装置の第２の表示装置に表示されている前記表示コンテンツのページとは異なるページを前記第１の表示装置に表示している際に、前記第２のＧＵＩにおいて受け付けた指示に応じて、前記画面共有しない設定から画面共有する設定に切り換えられた場合に、前記第２の情報処理装置から送信された前記発表者のページ送り操作の操作情報に従って、前記第２の表示装置に表示されている前記表示コンテンツのページと同じページを描画反映することを特徴とする方法。
【請求項１１】
第１の表示装置を有し、ネットワークを介して第２の情報処理装置と接続可能な第１の情報処理装置に、
前記第２の情報処理装置と画面を共有するための複数のページを含む表示コンテンツを記憶手段に記憶し、
前記第１の表示装置に表示された前記表示コンテンツに対する少なくともページ送り操作を含む入力操作の権限を切り換える指示を受け付ける第１のＧＵＩと、前記表示コンテンツの画面共有の設定を切り換える指示を受け付ける第２のＧＵＩを前記第１の表示装置に表示し、
前記権限を有している発表者が操作する前記第２の情報処理装置において受け付けたページ送り操作に応じて表示されたページと同じページを前記第１の表示装置に描画反映し、
前記第２のＧＵＩにおいて受け付けた指示に応じて、画面共有する設定から画面共有しない設定に切り換えられた場合に、前記表示コンテンツに対するページ送り操作を個別に受付可能とし、
前記権限を有している発表者が操作する前記第２の情報処理装置の第２の表示装置に表示されている前記表示コンテンツのページとは異なるページを前記第１の表示装置に表示している際に、前記第２のＧＵＩにおいて受け付けた指示に応じて、前記画面共有しない設定から画面共有する設定に切り換えられた場合に、前記第２の情報処理装置から送信された前記発表者のページ送り操作の操作情報に従って、前記第２の表示装置に表示されている前記表示コンテンツのページと同じページを描画反映する、処理を実行させることを特徴とするプログラム。
【手続補正２】
【補正対象書類名】明細書
【補正対象項目名】発明の名称
【補正方法】変更
【補正の内容】
【発明の名称】システム、情報処理装置、方法、及びプログラム
【手続補正３】
【補正対象書類名】明細書
【補正対象項目名】０００７
【補正方法】変更
【補正の内容】
【０００７】
本発明は上記従来技術の問題点を鑑み提案されたものであり、少ないデータ量で入力操作が反映された表示画面を共有できるシステム、情報処理装置、方法、及びプログラムを提供することにある。
【手続補正４】
【補正対象書類名】明細書
【補正対象項目名】０００８
【補正方法】変更
【補正の内容】
【０００８】
上記目的を達成するため、本発明に係るシステムは、第１の表示装置を有する第１の情報処理装置と、前記第１の情報処理装置とネットワークを介して接続可能な第２の情報処理装置を有するシステムであって、前記第１の情報処理装置は、前記第２の情報処理装置と画面を共有するための複数のページを含む表示コンテンツを記憶する記憶手段と、前記第１の表示装置に表示された前記表示コンテンツに対する少なくともページ送り操作を含む入力操作の権限を切り換える指示を受け付ける第１のＧＵＩと、前記表示コンテンツの画面共有の設定を切り換える指示を受け付ける第２のＧＵＩを前記第１の表示装置に表示する表示手段と、前記権限を有している発表者が操作する前記第２の情報処理装置において受け付けたページ送り操作に応じて表示されたページと同じページを前記第１の表示装置に描画反映する描画手段と、を有し、前記第２のＧＵＩにおいて受け付けた指示に応じて、画面共有する設定から画面共有しない設定に切り換えられた場合に、前記表示コンテンツに対するページ送り操作を個別に受付可能とし、前記権限を有している発表者が操作する前記第２の情報処理装置の第２の表示装置に表示されている前記表示コンテンツのページとは異なるページを前記第１の表示装置に表示している際に、前記第２のＧＵＩにおいて受け付けた指示に応じて、前記画面共有しない設定から画面共有する設定に切り換えられた場合に、前記描画手段は、前記第２の情報処理装置から送信された前記発表者のページ送り操作の操作情報に従って、前記第２の表示装置に表示されている前記表示コンテンツのページと同じページを描画反映することを特徴とする。
【手続補正５】
【補正対象書類名】明細書
【補正対象項目名】００１１
【補正方法】変更
【補正の内容】
【００１１】
本発明によれば、情報処理装置間で予め表示コンテンツを共有しておき、各情報処理装置で受け付けた入力操作の操作情報のみをやり取りすることで、少ないデータ量で入力操作が反映された表示画面を共有可能なシステム、情報処理装置、方法、及びプログラムを提供することができる。